(57)【要約】【課題】人体の生体情報を正確に測定する生体情報計測用ハンドル１を提供すること。【解決手段】人体の生体情報を計測するための複数の第１の電極５１と複数の第２の電極５２とが互いに隣り合うように配置され、人体の測定部位が接触可能な接触部５を備えており、第２の電極５２とこれと隣り合う第１の電極５１との対向部の長さの合計Ｌ１＋Ｌ２が、第２の電極５１の外周長ＬＢ（Ｌ）の長さに対して所定の割合以上であるように第１の電極５１及び第２の電極５２が配置された接触部５を有する生体情報計測用ハンドル１を提供する。【選択図】  図３
2012217642.tif 000002
【特許請求の範囲】
【請求項１】
人体の生体情報を計測するための複数の第１の電極と、前記第１の電極とは機能が異なる複数の第２の電極とが互いに隣り合うように配置され、人体の測定部位が接触可能な接触部を備える生体情報計測用のハンドルであって、
前記第１の電極と、これと隣り合う前記第２の電極との対向部の長さの合計が、前記第１の電極の外周長に対して所定の割合以上であることを特徴とする生体情報計測用ハンドル。
【請求項２】
前記接触部は、前記第１の電極同士又は前記第２の電極同士を接続する導通部を有することを特徴とする請求項１に記載の生体情報計測用ハンドル。
【請求項３】
前記導通部の面積は、前記接触部の面積よりも小さいことを特徴とする請求項２に記載の生体情報計測用ハンドル。
【請求項４】
前記第１及び第２電極の面積は、前記接触部に接触可能な人体の測定部位の面積よりも小さく、
前記接触部に対する前記第１及び第２の電極の面積比は均等であることを特徴とする請求項１〜３の何れか一項に記載の生体情報計測用ハンドル。
【請求項５】
前記第１及び第２の電極のピッチが１ｃｍ以下であることを特徴とする請求項１〜４の何れか一項に記載の生体情報計測用ハンドル。
【請求項６】
前記電極又は前記導通部は、導電性高分子材料によって構成されていることを特徴とする請求項１〜５の何れか一項に記載の生体情報計測用ハンドル。
【請求項７】
請求項１〜６の何れか一項に記載された生体情報計測用ハンドルを備える車両。
【発明の詳細な説明】
【技術分野】
【０００１】
本発明は、生体情報の測定に用いられるハンドルに関する。
【背景技術】
【０００２】
ハンドルの所定領域に配置された各静電容量検出用の電極に、利用者が触れたときの静電容量の変化を検知して、人がハンドルを把持したか否かの判断を行い、この判断に応じて運転を制御する電気掃除機が知られている。
【先行技術文献】
【特許文献】
【０００３】
【特許文献１】特開２００７−７５５８１号公報
【発明の概要】
【発明が解決しようとする課題】
【０００４】
従来の技術においては、配置された複数の電極のうちの何れかの電極に利用者が触れると、静電容量の変化を検出することができるため、電極の配置は利用者が触れる位置であれば特に限定されない。
【０００５】
しかしながら、生体情報を取得する目的で機能の異なる複数の電極を配置する場合には、人体の測定部位（例えば片手の指掌）が機能の異なる複数の電極に同じ条件で触れることが要求されるため、従来の技術のような電極の配置では、精度の高い生体情報を取得することができないという問題があった。
【０００６】
本発明が解決しようとする課題は、精度の高い生体情報を取得することができる生体情報計測用ハンドルを提供することである。
【課題を解決するための手段】
【０００７】
本発明は、互いに隣り合う第１の電極及び第２の電極のうち、第１の電極の対向部の長さの合計が、第１の電極の外周長に対して所定の割合以上となるように第１の電極及び第２の電極が配置された接触部を備えることにより、上記課題を解決する。
【発明の効果】
【０００８】
本発明によれば、互いに隣り合う第１又は第２の電極の対向部の長さの合計が第１の電極の外周長に対して所定の割合以上となるように第１又は第２の電極が配置された接触部を設けたので、人体の測定部位が複数の第１及び第２の電極に同じ条件で触れることができるため、人体との接触領域ごとに生じる接触抵抗の差による測定値のバラツキを抑制することができる。この結果、精度の高い生体情報を取得することができる。
【図面の簡単な説明】
【０００９】
【図１】本発明の本実施形態に係るハンドルを備える生体情報計測装置の概要図である。
【図２】図１に示すII-II線に沿う断面図である。
【図３】図１に示すハンドルの表皮を剥離して、接触部を露出させた状態のハンドルを示す図である。
【図４】図３に示すＡ部分の拡大図である。
【図５Ａ】電極のパターンの第１の例を示す図である。
【図５Ｂ】電極のパターンの第２の例を示す図である。
【図５Ｃ】電極のパターンの第３の例を示す図である。
【図６Ａ】電極のパターンの第４の例を示す図である。
【図６Ｂ】図６Ａに示す電極の外周長を示す図である。
【図７Ａ】電極のパターンの第５の例を示す図である。
【図７Ｂ】図７Ａに示す電極の外周長を示す図である。
【図８Ａ】電極のパターンの第６の例を示す図である。
【図８Ｂ】電極のパターンの第７の例を示す図である。
【図８Ｃ】電極のパターンの第８の例を示す図である。
【図９】電極のパターンが円形である場合の例を示す図である。
【図１０】実施例４の接触部の態様を示す図である。
【発明を実施するための形態】
【００１０】
以下、本発明の実施形態を図面に基づいて説明する。本実施形態では、車両に搭載され、人体の脂肪率などの生体情報を計測する生体情報計測装置１００に本発明に係るハンドル１を適用した場合を例にして説明する。
【００１１】
本実施形態の生体情報計測装置１００は、ハンドル１により取得された電気信号に基づいて人体の体脂肪率を計測する。
【００１２】
図１に示すように、車両Ｖに搭載されたハンドル１と、ハンドル１により検出される生体信号に基づいて生体情報を計測する計測装置６と、計測された生体情報に基づいて人体の状態を算出する演算装置７と、演算結果を出力する出力装置８とを備えている。
【００１３】
具体的に、本実施形態のハンドル１は、人体に微弱な電流を流したときの電気信号を取得する。本実施形態のハンドル１は、乗員の体脂肪率、心電図、体温、皮膚抵抗を計測することができる。
【００１４】
本実施形態の計測装置６は、ハンドル１によって取得された電気信号から人体(生体)の電気的なインピーダンス（生体電気インピーダンスともいう）を計測する。
【００１５】
本実施形態の演算装置７は、計測された生体電気インピーダンスに基づいて人体の体脂肪率の推測値を算出するプログラムが格納されたＲＯＭ（Read Only Memory）と、このＲＯＭに格納されたプログラムを実行することで生体情報計測装置１００として機能させる動作回路としてのＣＰＵ（Central Processing Unit）と、アクセス可能な記憶装置として機能するＲＡＭ（Random Access Memory）と、を備えている。演算装置７の演算結果（算出された体脂肪率などの生体情報）は、出力装置８へ送出される。
【００１６】
本実施形態の出力装置８は、ディスプレイ、スピーカ等の情報提示装置であり、演算装置７の演算結果を利用者に提示する。本実施形態の出力装置８は、演算結果を車載装置や、車外の外部端末へ出力（送信）する通信装置として機能させることもできる。
【００１７】
出力された生体情報は、経時的に蓄積して健康管理データとして利用することができる。また、出力された生体情報は、車載の運転支援システムにおいて利用することができる。例えば生体情報に応じて運転者の健康状態を判断し、判断結果に基づいて車両を減速・停止させるといった車両の駆動制御を支援することができる。
【００１８】
図１に示すハンドル１は、ボス部２と、リング状のリム部４とが、３本のスポーク部３で連結されることにより構成されている。本実施形態のハンドル１は、車両等の各種移動体に備えられ、不図示のステアリングシャフトを介して、車輪に操舵力を伝達する操舵用の把持部として用いられる。以下においては、本実施形態のハンドル１が、車両の操舵用の把持部として用いられる場合を例にして説明する。
【００１９】
図１に示すように、リム部４の所定領域（図中二点破線で示す）には、接触部５が設けられている。この接触部５は、運転者が運転時に握る可能性の高い、左右に延びるスポーク部３とリム部４との接続領域に設けることができる。
【００２０】
図２は、接触部５が設けられているリム部４のII-II線に沿う断面図である。図２に示すように、リム部４は、中空の円環状の心材４１と、この心材４１の周囲に配置された発泡体層４２と、発泡体層４２の表面（心材４１とは反対側）に配置された接触部５と、接触部５の上層側（心材４１とは反対側）に配置された表皮層４３とを有する。図示は省略するが、本実施形態の表皮層４３には複数の孔やスリットなどの貫通部が形成されており、表皮層４３の上からハンドル１を握ったユーザの掌が接触部５に接触することができるようになっている。また、本例では、接触部５の少なくとも一部が表皮層４３によって覆われている例を示すが、手触り等の問題がなければ、接触部５は表皮層４３の上層側に設けることも可能である。なお、図２は、リム部４の断面を模式的に表す図であり、各層の実際の厚み等を必ずしも反映したものではない。
【００２１】
特に限定されないが、本実施形態の心材４１としては、例えば一般的な鉄心材などを用いることができ、発泡体層４２としては、例えば一般的な発泡ウレタンなどを用いて構成することができる。
【００２２】
本実施形態の表皮層４３は、リム部４の最外層を構成する層であり、ユーザがその表面を直接触れるため、触り心地や、風合いのよい材料で構成されることが好ましい。表皮層４３を構成する材料の厚みは、特に限定はされないが、０．５〜３．０ｍｍ程度であることが好ましい。表皮層４３を構成する具体的な材料としては、たとえば、牛革、馬革、豚革等の本革や、樹脂層と繊維質基材とからなる合成皮革などが挙げられる。
【００２３】
合成皮革の具体例としては、たとえば、繊維基材として両面編組織を有する緯編布を用い、かつ、繊維基材表面に、ポリウレタン樹脂接着層を介して、シリコーン変性無黄変型ポリカーボネート系ポリウレタン樹脂からなるポリウレタン樹脂表皮層を積層したものや、基布表面上に、ウレタン系接着層及びポリウレタン表皮層を順次積層し、該基布が表面に起毛を有するメリヤスを用いたもの、さらには、グランド糸と起毛糸とがポリエステルマルチフィラメント糸からなり、起毛丸編地の起毛面側に、ポリウレタン接着層、及びポリウレタン表皮層が順次積層されたもの等が挙げられる。
【００２４】
図３は、表皮層４３を剥離して、接触部５を露出させた状態のハンドル１を示す図である。
【００２５】
図３に示すように、本実施形態の接触部５は、リム４の右側とリム４の左側にそれぞれ設けられており、運転時において乗員の測定部位となる掌が接触可能な状態となっている。同図に示すように、本実施形態の接触部５は、互いに隣り合うように配置された複数の第１の電極５１（５３）と複数の第２の電極５２（５４）とを有する。本例では、１０個の第１の電極５１（５３）と１０個の第２の電極５２（５４）とが配置されているものを示すが、電極の配置数は特に限定されない。先述したように、接触部５の上層側（心材４１とは反対側）には表皮層４３が配置されているが、この表皮層４３には、孔やスリットなどの欠損部があるため、乗員が表皮層４３の上からハンドル１を握った場合であっても乗員の掌は接触部５と接触することができる。
【００２６】
本実施形態の第１及び第２の電極５１〜５４は、ハンドル１の心材４１から発泡体層４２、表皮層４３の積層方向に対して、表皮層４３に触れる人体の測定部位と接触する領域に設けられた接触部５に配置される。人体の測定部位が第１及び第２の電極５１〜５４に直接触れることにより、第１及び第２の電極５１〜５４が生体情報を測定する端子として機能する。
【００２７】
第１及び第２の電極５１〜５４は、金属板、導電ペースト、カーボン粉末、金属蒸着膜、導電性高分子等の導電材料を用いて構成することができる。生体との電位差を小さくする観点からは、第１及び第２の電極５１〜５４をステンレス板で構成することができる。第１及び第２の電極５１〜５４の厚さは特に限定はされないが、０．０１〜３．０ｍｍ程度とすることができる。
【００２８】
第１の電極５１（５３）と第２の電極５２（５４）は、表皮層４３の主面に貼り付け又は積層して形成することもでき、表皮層４３に直接印刷して形成することもできる。表皮層４３には、予め、パンチングや切り込みを入れて、貫通孔又はスリットを形成しておくことが好ましい。
【００２９】
本実施形態において、第１の電極５１（５３）と第２の電極５２（５４）は、接触部５に接触する人体に微弱電流を流す際において、第１の電極５１（５３）又は第２の電極５２（５４）は一方が正極として機能し、他方が負極として機能する。第１の電極５１（５３）に接続する配線及び複数の第２の電極５２（５４）に接続する配線は、それぞれ引き出されて、上述した計測装置６に接続されている。計測装置６は、人体を介して第１の電極５１（５３）と複数の第２の電極５２（５４）との間に流れる電流に応じた電気信号から生体インピーダンスを取得することができる。
【００３０】
図４は、図３に示すＡ部分を拡大して模擬的に示す図である。図４では、ハンドル１の左手側の第１の電極５１と第２の電極５２とを有する接触部５の一部を示すが、ハンドル１の右手側の第１の電極５３と第２の電極５４とを有する接触部５の構成もこれと共通する。
【００３１】
図４に示すように、本実施形態の接触部５が有する第１の電極５１（５３）と、これと隣り合う第２の電極５２（５４）の電極との対向部Ｌ１，Ｌ２の長さの合計Ｋ（Ｌ１＋Ｌ２）は、第１の電極５１（５３）の外周長Ｌ（Ｌ１＋Ｌ２＋Ｌ３＋Ｌ４）の長さに対して所定の割合以上である。つまり、本実施形態の各第１の電極５１（５３）は、その外周長Ｌに対して、所定割合以上の長さの範囲で、第２の電極５２（５４）と対向するように配置されている。
【００３２】
また、複数（Ｎ枚）の第１の電極５１及び複数（Ｎ枚）第２の電極５２が配置される場合においても、接触部５が有する第１の電極５１（５３）と、これと隣り合う第２の電極５２（５４）の電極との対向部Ｌ１等の長さの合計Ｋ（Ｌ１×（２Ｎ−１））は、第１の電極５１（５３）の外周長Ｌ（Ｌ１＋Ｌ２＋Ｌ３＋Ｌ４）×Ｎの長さに対して所定の割合以上である。第１の電極５１（５３）は、その外周長Ｌに対して、所定割合以上の長さの範囲で、第２の電極５２（５４）と対向するように配置されている。
【００３３】
なお、第１の電極５１が二つの第２の電極５２に挟まれている場合には、第１の電極５１の対向部の長さの合計ＫはＬ１＋Ｌ２となるが、第１の電極５１が端部にあり、隣接する第２の電極５２が一つである場合には、第１の電極５１の対向部の長さの合計ＫはＬ１（又はＬ２）となる。
【００３４】
図４では、第１の電極５１（５３）を中心に対向部Ｌ１，Ｌ２の長さと外周長Ｌの長さとの関係を示すが、第２の電極５２（５４）の対向部の長さの合計Ｋ（Ｌ１＋Ｌ２）と外周長Ｌの長さとの関係も、第１の電極５１（５３）における対向部の長さの合計Ｋ（Ｌ１＋Ｌ２）と外周長Ｌの長さとの関係と同様に定義することができる。
【００３５】
なお、電極５１〜５４の対向部の長さとは、機能、例えば極性や用途が異なる第１の電極５１（５３）と第２の電極５２（５４）との少なくとも一部が向かい合う状態において、その向かい合っている部分の辺の長さをいう。対向部は、両電極が向かい合っていればよく、物理的に接触している必要はない。
【００３６】
特に限定されないが、本実施形態における第１（又は第２）の電極５１（５２）の対向部の長さの合計Ｋ（Ｌ１＋Ｌ２）と、第１（又は第２）の電極５１（５２）の外周長Ｌ（Ｌ１＋Ｌ２＋Ｌ３＋Ｌ４）との割合（Ｋ／Ｌ）は、所定の割合、例えば２５％以上（４分の１以上）とすることができる。好ましくは、所定の割合を５０％以上（２分の１以上）とすることができる。
【００３７】
対向部の長さの合計Ｋと外周長Ｌとの割合が５０％以上になるためには、第１（又は第２）の電極５１（５２）が２枚の第２（又は第１の）電極５２（５１）に挟まれる必要がある。この場合は、合わせて４枚以上の第１の電極５１及び第２の電極５２が接触部５に配置される。
【００３８】
このように、機能が異なる第１の電極５１及び第２の電極５２を交互に並列に配置することにより、第１の電極５１及び第２の電極５２よりも面積が広い測定部位（掌）が接触部５に接触したときに、人体の測定部位を機能の異なる第１の電極５１（５３）及び第２の電極５２（５４）に同じ条件で接触させることができる。これにより、第１の電極５１（５３）及び第２の電極５２（５４）の接触抵抗のバラツキを小さくすることができ、精度の高い生体情報を取得することができる。
【００３９】
また、図４に示すように、環状のハンドル１の接触部５に、その環の直径方向に沿って、測定部位よりも小さい複数の第１の電極５１及び第２の電極５２を交互に並列に配置する。第１及び第２の電極（５１〜５４）の配置は、特に限定されないが、図３及び図４に示すように、ハンドル１の環の直径方向に沿う長辺を有する矩形状の第１及び第２の電極（５１〜５４）を同数ずつ、交互に配置することができる。このような配置にすることにより、人体の測定部位を機能の異なる第１の電極５１及び第２の電極５２に同時に同じ条件で接触させることができる。
【００４０】
さらに、第１の電極５１及び第２の電極５２の形状を、図４に示すように、ハンドル１の環の直径方向に沿う辺が、これと直交する辺（ハンドル１の環の外周方向に沿う辺）よりも長くなるようにしたので、第１の電極５１及び第２の電極５２の長辺がハンドル１を掴む指掌に沿うように電極を設けることができる。乗員の指掌は第１の電極５１及び第２の電極５２の長辺に沿ってハンドル１を握るため、機能の異なる第１の電極５１及び第２の電極５２と測定部位とが広い範囲で同時に同じ条件で接触し、接触抵抗を安定させることができる。
【００４１】
なお、第１の電極５１及び第２の電極５２の配列の態様は図４に示すものに限定されず、環状のハンドル１に、その環の連なる向に沿って複数の第１の電極５１及び第２の電極５２を交互に並列に配置することができる。具体的には後述する図１０に示すように、ハンドル１の環の外周方向に沿うに沿う辺が、これと直交する辺（ハンドル１の環の直径方向に沿う辺）よりも長くなるようにすることができる。この場合においても、乗員の指掌は第１の電極５１及び第２の電極５２の長辺を束ねるようにハンドル１を握るため、機能の異なる第１の電極５１及び第２の電極５２と測定部位とが広い範囲で接触し、接触抵抗を安定させることができる。
【００４２】
特に限定されないが、第１及び第２の電極（５１〜５４）の面積を、接触部５に接触可能な人体の測定部位の面積よりも小さくし、さらに、接触部５に対する第１の電極５１（５３）及び第２の電極５２（５４）の面積比を均等にすることができる。人体の測定部位は特に限定されないが、例えば指掌、足の裏の他、腹部、背部等の、生体情報を測定できる人体(生体)の部位、特に生体情報の測定がしやすい指掌又は足の裏とすることができる。
【００４３】
第１及び第２の電極（５１〜５４）を測定部位よりも小さい面積とし、面積比を均等にしておくことにより、生体情報を計測する際（生体情報に応じた電気信号を計測する際）に、第１及び第２の電極（５１〜５４）と測定部位との接触抵抗の影響を低減することができる。
【００４４】
また、本実施形態では、第１及び第２の電極５１〜５４のピッチが１ｃｍ以下、好ましくは０．５ｃｍ以下とすることができる。第１及び第２の電極５１〜５４電極のピッチは小さいほど測定精度が向上するものの、製造コストを抑える観点から０．１ｍｍ程度以上とすることができる。
【００４５】
本実施形態における第１の電極５１のピッチとは、図４に示すように、第１の電極５１の一方端(長辺)と、この第１の電極５１と隣接する第２の電極５２の一方端(長辺)との間の隙間を含む距離Ｐａである。また、第２の電極５２のピッチとは、第２の電極５２の一方端（長辺）と、この第２の電極５２と隣接する第１の電極５１の一方端(長辺)との間の隙間を含む距離Ｐｂである。
【００４６】
第１及び第２の電極５１〜５４のピッチを１ｃｍ以下とすることにより、生体情報を計測する際（生体情報に応じた電気信号を計測する際）に、測定部位が複数の第１及び第２の電極５１〜５４に同時に接触するため、第１及び第２の電極（５１〜５４）と測定部位との接触抵抗の影響を低減することができ、生体情報の計測精度を向上させることができる。特に測定部位が指掌や足の裏である場合には、１ｃｍ以下のピッチで設けられた複数の第１及び第２の電極５１〜５４を測定部位に同時に接触させることができる。
【００４７】
第１及び第２の電極５１〜５４の形状は、図４に示すような矩形に限定されず、方形のほか、三角形、六角形、八角形などの多角形、円形、楕円形などとすることができる。また、図５Ａ，図５Ｂ，図５Ｃに示すように上記形状を繰り返し配置してもよいし、又はこれらの形状を組み合わせた形状としてもよい。さらに、図６Ａ，図７Ａのように、螺旋状の形状としてもよい。このような形状における第１及び第２の電極５１〜５４の外周長は、図６Ｂ及び図７Ｂで示すように、その第１及び第２の電極５１〜５４の１単位の最外縁を結ぶ包絡線の長さＬとして定義することができる。
【００４８】
本実施形態において、複数の第１及び第２の電極５１〜５４を小さいピッチで配置する観点からは、第１及び第２の電極５１〜５４の形状を方形や六角形又はこれらの組合せの形状とすることができる。特に限定されないが、図８Ａ，図８Ｂ，図８Ｃに第１及び第２の電極５１〜５４が六角形である場合の例を示す。同図においてＡで示す電極が第１の電極５１（５３）であり、Ｂで示す電極が第２の電極５２（５４）である。この場合において、各第１の電極５１（５３）又は第２の電極５２（５４）は連続させてもよいし、後述する導通部５５によって接続してもよい。
【００４９】
先述したように、第１及び第２の電極５１〜５４の形状を円形にすることも可能である。この場合は、図９に示すように、第１の電極５１（５３）と第２の電極５２（５４）とが隣接するように配置することができる。第１及び第２の電極５１〜５４の形状が円形である場合には、第１又は第２の電極５１〜５４の各中心から円周側に延びる法線が最も先に接した他の第１又は第２の電極５１〜５４が隣り合う電極であると定義することができる。
【００５０】
第１の電極５１（５３）又は第２の電極５２（５４）が円形や楕円形である場合における第１及び第２の電極５１〜５４の外周長は、図９に示すように、その円周長Ｌ（楕円周長Ｌ）である。
【００５１】
また、特に限定されないが、第１の電極５１（５３）と、これと隣接する（対向する）第２の電極５２（５４）との対向部の長さの合計は、以下のように求めることができる。たとえば、円形の第１の電極５１（５３）の外周長Ｌを３６０等分に分割し、その外周長Ｌを分割する３６０本の法線のうち、機能の異なる第２の電極５２（５４）と接し、かつ機能が共通する第１の電極５１（５３）と接しない法線の数をカウントし、この法泉の数を（外周長Ｌ／３６０）に乗じることにより、対向部の長さの合計Ｋを求めることができる。
【００５２】
図９に示す例では、外周長は第１の電極５１（５３）の円周Ｌであり、対向部の長さの合計Ｋは、法線Ｐ１からＰ２までの円弧の長さｘ１と、法線Ｐ３からＰ４までの円弧の長さｘ２と、法線Ｐ５からＰ６までの円弧の長さｘ３との和である。言い換えると、対向部の長さの合計Ｋは、外周長Ｌから、第１の電極５１（５３）が第１の電極５１（５３）と隣合う（対向する）法線Ｐ４からＰ５までの円弧の長さｙ１と、法線Ｐ６からＰ１までの円弧の長さｙ２と、法線Ｐ２からＰ３までの円弧の長さｙ３とを差し引いた長さである。
【００５３】
図４に戻り、本実施形態の接触部５は、第１の電極５１（５３）同士、第２の電極５２（５４）同士をそれぞれ接続する導通部５５を備えている。導通部５５は、信号線、ヒーター線等に用いられる金属線や、金属線の織布、樹脂織布の心材に金属コートした導電性のテープ、金属ペースト（を焼成したもの）、導電性高分子の塗装等を用いることができる。
【００５４】
本実施形態において、導通部５５を設けることにより、複数の第１の電極５１（５３）又は複数の第２の電極５２（５４）を繰り返し並列に配置することができる。また、第１の電極５１（５３）と第２の電極５２（５４）とを交互に配置することができる。さらに、複数の第１の電極５１（５３）又は複数の第２の電極５２（５４）を設けることにより、人体の測定部位がいずれかの第１の電極５１（５３）又は第２の電極５２（５４）に接触すれば、生体情報を計測することができるので、測定部位の接触状態によって測定不能となることを防ぐことができる。
【００５５】
また、本実施形態の導通部５５の面積は、接触部５の面積よりも小さくすることができる。特に限定されないが、導通部５５の面積は、接触部５の面積の１０分の１以下、好ましくは１００分の１以下とすることができる。
【００５６】
本実施形態における第１の電極５１（５３）同士を接続する導通部５５の面積とは、図４に示すように、第１の電極５１（５３）の一方端（長辺）と、この第１の電極５１（５３）に最も近い第１の電極５１の他方端（長辺）との距離Ｔａに導通部５５の線幅を乗じた値である。また、第２の電極５２（５４）同士を接続する導通部５５の面積とは、同図に示すように、第２の電極５２（５４）の一方端（長辺）と、この第２の電極５２（５４）に最も近い第２の電極５２（５４）の他方端（長辺）との距離Ｔｂに導通部５５の線幅を乗じた値である。
【００５７】
例えば、接触部５の面積が１０ｃｍ×１０ｃｍの１００ｃｍ２であるとすると、導通部５５の面積は１０ｃｍ２以下、好ましくは１ｃｍ２以下とすることができる。このように導通部５５を小さくすることにより、人体の測定部位が導通部５５に触れる面積を小さくすることができるため、測定部位と導通部５５との接触による影響を低減することができる。この結果、人体の測定部位が接触部５に接触することによって計測される生体情報の測定精度を向上させることができる。
【００５８】
接触部５の第１の電極５１（５３）及び第２の電極５２（５４）並びに導通部５５は、上述した金属やカーボン等のほか、導電性高分子材料により構成することができる。金属、カーボン等によって構成する場合と比べて、バインダーを必要とせず、脱離を防ぎやすいという利点がある。また、酸化劣化の程度が低いので、耐久性を向上させることができる。
【００５９】
導電性高分子としては、電子伝導性を有する高分子材料であればよく、特に限定されないが、たとえば、アセチレン系高分子、複素５員環系高分子、フェニレン系高分子、アニリン系高分子やこれらの共重合体、またはこれらの誘導体、さらには、ポリフェニレンビニレン；ポリチオフェンビニレン；ポリペリナフタレン；ポリアントラセン；ポリナフタレン；ポリピレン；ポリアズレンなどが挙げられる。
【００６０】
アセチレン系高分子としては、下記式（１）〜（５）に示す基本骨格を有するものが挙げられる。
【化１】
2012217642.tif 000003
上記式（１）〜（５）中、ｎは重合数を表し、その数は特に限定されない。また、上記式（２）、（４）中、Ｒ１、Ｒ２、およびＲ３は、それぞれ独立して、炭素数１〜２０、好ましくは炭素数１〜１２の直鎖、分岐または環状のアルキル基、または炭素数６〜１８、好ましくは炭素数６〜１２のアリール基を示す。
【００６１】
上記式（１）〜（５）に示す基本骨格を有するアセチレン系高分子の具体例としては、ポリアセチレン、ポリメチルアセチレン、ポリフェニルアセチレン、ポリフルオロアセチレン、ポリブチルアセチレン、ポリメチルフェニルアセチレンなどが挙げられる。
【００６２】
複素５員環系高分子としては、下記式（６）、（７）に示す基本骨格を有するピロール系高分子、下記式（８）〜（１１）に示す基本骨格を有するチオフェン系高分子、下記式（１２）に示す基本骨格を有するイソチアナフテン系高分子が挙げられる。
【化２】
2012217642.tif 000004
【化３】
2012217642.tif 000005
上記式（６）〜（１２）中、ｎは重合数を表し、その数は特に限定されない。また、上記式（７）、（９）、（１０）中、Ｒ４、Ｒ５、Ｒ６、およびＲ７は、それぞれ独立して、炭素数１〜２０、好ましくは炭素数１〜１２の直鎖、分岐または環状のアルキル基を示す。
【００６３】
また、フェニレン系高分子としては、下記式（１３）〜（１５）に示す基本骨格を有するものが挙げられる。
【化４】
2012217642.tif 000006
上記式（１３）〜（１５）中、ｎは重合数を表し、その数は特に限定されない。
【００６４】
さらに、アニリン系高分子としては、下記式（１６）、（１７）に示す基本骨格を有するものが挙げられる。
【化５】
2012217642.tif 000007
上記式（１６）、（１７）中、ｎは重合数を表し、その数は特に限定されない。また、上記式（１７）中、Ｒ８は、それぞれ独立して、炭素数１〜２０、好ましくは炭素数１〜１２の直鎖、分岐または環状のアルキル基を示す。
【００６５】
上記各式において、炭素数１〜２０のアルキル基としては、メチル基、エチル基、プロピル基、イソプロピル基、ｎ−ブチル基、イソブチル基、ｓｅｃ−ブチル基、ｔｅｒｔ−ブチル基、ペンチル基、イソペンチル基、ネオペンチル基、ヘキシル基、ヘプチル基、オクチル基、ノニル基、デシル基、ウンデシル基、ドデシル基、２−エチルヘキシル基、テトラデシル基、オクタデシル基、イコシル基、およびシクロヘキシル基等の直鎖状、分枝鎖状または環状アルキル基などが挙げられる。炭素数６〜１８のアリール基としては、フェニル基、ベンジル基、フェネチル基、ｏ−，ｍ−若しくはｐ−トリル基、２，３−若しくは２，４−キシリル基、メシチル基、ナフチル基、アントリル基、フェナントリル基、ビフェニリル基、ベンズヒドリル基、トリチル基およびピレニル基などが挙げられる。
【００６６】
導電性高分子のより具体的な例としては、ポリアセチレン、ポリメチルアセチレン、ポリフェニルアセチレン、ポリフルオロアセチレン、ポリブチルアセチレン、ポリメチルフェニルアセチレンなどのポリアセチレン系高分子；ポリオルソフェニレン、ポリメタフェニレン、ポリパラフェニレンなどのポリフェニレン系高分子；ポリピロール、ポリ（３−メチルピロール）、ポリ（３−エチルピロール）、ポリ（３−ドデシルピロール）、ポリ（３，４−ジメチルピロール）、ポリ（３−メチル−４−ドデシルピロール）、ポリ（Ｎ−メチルピロール）、ポリ（Ｎ−ドデシルピロール）、ポリ（Ｎ−メチル−３−メチルピロール）、ポリ（Ｎ−エチル−３−ドデシルピロール）、ポリ（３−カルボキシピロール）などのポリピロール系高分子；ポリチオフェン、ポリ（３−メチルチオフェン）、ポリ（３−エチルチオフェン）、ポリ（３，４−ジメチルチオフェン）、ポリ（３，４−ジエチルチオフェン）、ポリ（３，４−エチレンジオキシチオフェン）などのポリチオフェン系高分子；ポリフラン；ポリセレノフェン；ポリイソチアナフテン；ポリフェニレンスルフィド；ポリアニリン、ポリ（２−メチルアニリン）、ポリ（２−エチルアニリン）、ポリ（２，６−ジメチルアニリン）などのポリアニリン系高分子；ポリパラフェニレンビニレンなどのポリフェニレンビニレン；ポリチオフェンビニレン；ポリペリナフタレン；ポリアントラセン；ポリナフタレン；ポリピレン；ポリアズレン；またはこれらの誘導体が好ましく挙げられる。
なお、これら導電性高分子には、ドーパントが含まれてもよく、ドーパントとしては、使用する導電性高分子の種類などによって適宜選択される。
【００６７】
これらのなかでも、ポリピロール、ポリアニリン、およびポリ（３，４−エチレンジオキシチオフェン）からなる群から選択された一つのモノマーを重合した高分子に、ポリ（４−スチレンサルフォネート）をドープしたもの（たとえば、ポリ（３，４−エチレンジオキシチオフェン）（ＰＥＤＯＴ）にポリ（４−スチレンサルフォネート）（ＰＳＳ）をドープしたＰＥＤＴＯＴ／ＰＳＳ）、および、ポリパラフェニレンビニレンからなる群から選択された導電性高分子、ならびに、これらの誘導体から選ばれた少なくとも１種を含むことが好ましい。導電性高分子は単独でもまたは２種以上組み合わせて用いてもよい。
【００６８】
第１の電極５１（５３）及び第２の電極５２（５４）と導通部５５とを有する接触部５を構成する導電性高分子の膜厚は特に制限は設けないが、厚さが大きくなると皮革が硬くなり、人体の指掌が触れるハンドル１の触感や風合いが損なわれてしまうので、５００μｍ程度以下とすることが好ましい。
【００６９】
以下、本実施形態のハンドル１の製造方法を説明する。特に限定されないが、たとえば、金属を加工して得た心材４１の表面に、発泡体を被覆又は吹き付けることによって発泡体層４２を形成し、この発泡体層４２の表面に接触部５を形成する。樹脂シートの上に第１の電極５１（５３）及び第２の電極５２（５４）及び導通部５５を形成した接触部５を発泡体層４２の表面の所定領域に配置してもよいし、発泡体層４２の表面の所定領域に第１の電極５１（５３）及び第２の電極５２（５４）及び導通部５５を印刷又は貼りつけて、接触部５を発泡体層４２の表面に直接配置してもよい。さらに、欠損部が形成されている表皮層４３で、接触部５が形成された発泡体層４２を被覆する。このような手順で接触部５を備えるハンドル１を得ることができる。
【００７０】
また、接触部５を導電性高分子材料で形成する場合には、表皮層４３に接触部５を構成する樹脂材料及び／又は導電性高分子材料を含浸又は塗布することが好ましい。表皮層４３に導電性高分子材料を含浸させることにより、表皮層４３の空隙に導電部を形成することができる。この導通部は、表皮層４３の表面（人体が触れる場所）と接触部５とを導通させる、表皮層４３の主面と直交する方向に沿う柱状の部材である。表皮層４３内部に形成された導電部は、表皮層４３の一方主面と他方主面とを電気的に導通させる。この導電部により、表皮層４３に孔やスリットなどの欠損部を形成しなくても、この導電部を介して測定部位の生体情報（生体信号）を接触部５に伝達することができる。この結果、表皮層４３の表面に接触した測定部位の生体情報を接触部５にて計測することができる。
【００７１】
具体的には、樹脂材料または導電性高分子を溶媒に溶解して混合溶液として、表皮層４３に含浸または塗布し、その後、溶媒を除去することができる。この方法は、効率及びコストにおいて有利である。溶解に用いる溶媒としては、たとえば、水、ジメチルスルホキシド（以下、ＤＭＳＯと略記）、ジメチルアセトアミド、ジメチルホルムアミド、Ｎ−メチルピロリドンなどの極性溶媒やグリセリン、エチレングリコールなどの多価アルコール類、およびこれらとロダン塩、塩化リチウム、塩化カルシウム、塩化亜鉛などの膨潤性金属塩の混合物、さらにはこれら溶媒同士、あるいはこれら溶媒と水との混合物などが挙げられる。これらの中でも、水やＤＭＳＯ、エチレングリコール等がコスト、回収性等の工程通過性の点で最も好適である。
【００７２】
混合溶液中の樹脂材料または導電性高分子の濃度は、これらの組成や重合度、あるいは使用する溶媒の種類によって異なるが、混合溶液全体１００重量部に対し、１〜１０重量部の範囲であることが好ましい。また、本発明の効果を損なわない範囲であれば、混合溶液には、必要に応じて、難燃剤、酸化防止剤、凍結防止剤、ｐＨ調整剤、隠蔽剤、着色剤、油剤、特殊機能剤などの各種添加剤が含有されていてもよく、これら添加剤は、一種単独で、あるいは二種以上を併用して用いることができる。
【００７３】
混合溶液の粘度は、５００ｍＰａ・ｓ以上、１０，０００ｍＰａ・ｓ以下であることが好ましく、さらに好ましくは１，０００ｍＰａ・ｓ以上、５，０００ｍＰａ・ｓ以下であることが好ましい。混合溶液の粘度を上記範囲に制御することで、含浸または塗布を容易に行なうことが可能となる。含浸後、熱処理を行うことができる。熱処理温度は、通常、１００℃以上であり、好ましくは１１０℃〜２５０℃である。導電性高分子を含む表皮層４３について熱処理を行なうことにより、接触抵抗の低下効果をさらに高めることができる。その一方で、熱処理温度が低すぎると、接触抵抗の低下効果が不十分となる場合があり、また、熱処理温度が高すぎると、接触部５の表面に、融解が生じてしまい、これにより、接触部５の力学物性が低下する場合がある。
【００７４】
本発明の本実施形態に係るハンドル１は、以下の効果を奏する。
【００７５】
本実施形態のハンドル１においては、互いに隣り合う第１又は第２の電極５１〜５４の対向部の長さの合計Ｋが第１の電極５１（５３）の外周長Ｌに対して所定の割合以上となるように第１又は第２の電極５１〜５４が配置された接触部５を設けたので、人体の測定部位が複数の第１及び第２の電極に同じ条件で触れることができるため、人体との接触領域ごとに生じる接触抵抗の差による測定値のバラツキを抑制することができる。この結果、精度の高い生体情報を取得することができる。
【００７６】
本実施形態の接触部５は、第１の電極５１（５３）同士又は第２の電極５２（５３）同士を接続する導通部５５を有するので、第１の電極５１（５３）と第２の電極５２（５４）の形状や配列の自由度を向上させることができる。この導通部５５により互いに接続された複数の第１の電極５１（５３）及び第２の電極５２（５４）が配置されているので、測定部位がいずれかの第１の電極５１（５３）及び第２の電極５２（５４）に確実に触れるようにすることができる。この結果、測定部位の接触状態によって測定不能となる事態を防ぐことができる。
【００７７】
本実施形態の導通部５５の面積を接触部５の面積よりも小さくしたので、人体の測定部位が導通部５５に触れる面積を小さくすることができる。これにより、人体の測定部位と導通部５５とが接触することによる影響を低減することができる。この結果、人体の測定部位が接触部５に接触することによって計測される生体情報の測定精度を向上させることができる。
【００７８】
第１及び第２電極５１〜５４の面積は、接触部５に接触可能な人体の測定部位の面積よりも小さく、接触部５に対する第１及び第２の電極５１〜５４の面積比は均等としたので、生体情報を計測する際（生体情報に応じた電気信号を計測する際）に、第１及び第２の電極（５１〜５４）と測定部位との接触抵抗の影響を低減することができる。
【００７９】
第１及び第２の電極５１〜５４のピッチを１ｃｍ以下とすることにより、生体情報を計測する際（生体情報に応じた電気信号を計測する際）に、第１及び第２の電極（５１〜５４）と測定部位との接触抵抗の影響を低減することができ、生体情報の計測精度を向上させることができる。
【００８０】
本実施形態では電極５１〜５４及び／又は導通部５５を、導電性高分子材料によって構成することにより、金属、カーボン等によって構成する場合とは異なり、バインダーを必要とせず、脱離を防ぎやすい。また、酸化劣化の程度が低いので、耐久性を向上させることができる。
【００８１】
本実施形態に係る生体情報計測用ハンドル１を車両Ｖに搭載することにより、特別な操作を要求されることなく、運転時に体脂肪率などの生体情報を計測することができる。
【００８２】
本明細書では、本発明に係る第１の電極と第２の電極とを有する接触部を備える生体情報計測用ハンドルの一例として、第１の電極５１（５３）と第２の電極５２（５４）を有するハンドル１を説明するが、本発明はこれに限定されるものではない。また、本発明に係る導通部を有する生体情報計測用ハンドルの一例として、導通部５５を有するハンドル１を説明するが、本発明はこれに限定されるものではない。
【００８３】
なお、本実施形態では、ハンドル１が人体の体脂肪率を計測する生体情報計測装置１００に用いられる例を説明するが、これに限定されず、ハンドル１は人体の特定部位に接触する２以上の電極から得られた電気情報に基づいて生体の状態を計測する装置に適用することができる。例えば、本実施形態のハンドル１は、人体の皮膚抵抗に基づいて緊張又はリラックスなどの心理状態を判定する心理状態判定装置や、同じく人体の皮膚抵抗に基づいて覚醒水準を計測する覚醒状態判定装置などに適用することができる。
【００８４】
以上、本発明の実施形態について説明したが、これらの実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【実施例】
【００８５】
以下、実施例により本発明をより詳細に説明するが、本発明は、以下の実施例により何ら限定されるものではない。
【００８６】
以下の実施例において、生体情報としての体脂肪率を下記の方法により測定した。
【００８７】
本実施例において、体脂肪率の算出は市販の両手式体脂肪計（オムロン製ＨＢＦ−３０６）を用いて行った。上述した第１の電極５１（５３）と第２の電極５２（５３）と導通部５５とを有する接触部５を準備し、この接触部５を体脂肪率計のハンドル又は車両のハンドルに設置し、これを市販の両手式体脂肪計（オムロン製ＨＢＦ−３０６）の電極に適用して体脂肪率を計測した。
【００８８】
体脂肪率の測定は、1回測定するごとに測定位置（測定部位が接触する位置）を変えて、握りなおして行った。測定位置は、体脂肪率計のハンドルに設置したものでは標準位置と、上半分、下半分を握った場合に変更して行い、車両のハンドル１に設置したものではスポーク部３の上部と下部を握った場合の値を測定した。このように測定位置を変えて体脂肪率を測定するのは、測定部位が電極に触れる際の接触条件を変化させるためである。
【００８９】
［実施例１］
本実施例では、以下のようにして、本実施形態（図１〜図４）に示す態様のハンドル１を作製した。
【００９０】
第１の電極５１及び第２の電極５２を構成する厚さ０．３ｍｍのステンレス板（ＳＵＳ３０４）を幅３．５ｃｍ、長さ０．８ｃｍとなるように加工し、第１の電極５１及び第２の電極５２のピッチＰａ，Ｐｂ（図４参照、以下同じ）が１ｃｍとなるようにステンレス板を８枚並べ、１枚おきに第１の電極５１及び第２の電極５２が隣り合うように繰り返し設置して、左手の指掌用の接触部５を準備した。
また、第１の電極５３及び第２の電極５４を構成する厚さ０．３ｍｍのステンレス板（ＳＵＳ３０４）を３．５ｃｍ（幅）×０．８ｃｍ(長さ)となるように加工し、第１の電極５１及び第２の電極５２と同様に配置して、右手の指掌用の接触部５を準備した。
【００９１】
本実施例１の接触部５において、外周長Ｌに対する対向部の長さの合計Ｋの配置割合は、対向部の長さの合計Ｋが３．５×２＝７であり、１枚の電極の外周長Ｌが８．６であるので、８枚並べた状態では、（3.5*7）／（8.6*4）＝71％であった。この接触部５を、上述の体脂肪率計（オムロン社ＨＢＦ−３０６）のハンドル部に設置し、接触部５の各電極５１〜５４を体脂肪計に適切に接続した。
【００９２】
接触部５が設けられたハンドル部の標準位置を左右両手の指掌で握った。ハンドル部５の標準位置とは、接触部５の第１の電極５１（５３）及び第２の電極５２（５４）のすべて乃至９０％以上が指掌に覆われる位置である。この状態で体脂肪率を計測したところ、２２．９％の値を示した。次に、左右それぞれのハンドル部の上半分（接触部５の中心から上の長さ４ｃｍの部分）を握って体脂肪率を計測したところ２２．９％の値を示した。さらに、左右それぞれのハンドル部の下半分（接触部５の中心から下の長さ４ｃｍの部分）を握って体脂肪率を計測したところ、２２．８％の値を示した。
【００９３】
［実施例２］
第１の電極５１（５３）及び第２の電極５２（５４）を構成する厚さ０．３ｍｍのステンレス板（ＳＵＳ３０４）を幅３．５ｃｍ、長さ０．３５ｃｍとし、ピッチＰａ，Ｐｂが０．５ｃｍとなるように１６枚ずつ並べた以外は、実施例１と同様にして接触部５を準備した。本実施例２の接触部５において、外周長Ｌに対する対向部の長さの合計Ｋの配置割合は８５％であった。
【００９４】
［実施例３］
第１の電極５１及び第２の電極５２を構成する厚さ０．３ｍｍのステンレス板の幅を９．５ｃｍ、長さを０．７ｃｍとなるように加工し、ピッチＰａ，Ｐｂが１ｃｍとなるように３０枚ずつ並べ、１枚おきに第１の電極５１及び第２の電極５２が隣り合うように繰り返し設置して、９．５ｃｍ×３０ｃｍの大きさの左手の指掌用の接触部５を準備した。同様に、第１の電極５３及び第２の電極５４が隣り合うように繰り返し設置し、右手の指掌用の接触部５を準備した。
【００９５】
日産自動車製スカイライン（Ｖ３６）のステアリングホイール（リム部の太さ３０ｍｍ程度）の皮革をはがし、準備した二つの接触部５をステアリングホイールのリム部４に図３に示す態様で巻きつけた。本実施例の接触部５において、外周長Ｌに対する対向部の長さの合計Ｋの配置割合は９０％であった。
【００９６】
［実施例４］
第１の電極５１及び第２の電極５２を構成する厚さを０．３ｍｍのステンレス板の幅を０．７ｃｍ、長さを３０ｃｍに加工し、ピッチＰａ，Ｐｂが１ｃｍとなるように４枚ずつ並べ、１枚おきに第１の電極５１及び第２の電極５２が隣り合うように繰り返し設置して、４ｃｍ×３０ｃｍの大きさの左手の指掌用の接触部５を準備した。同様に、第１の電極５３及び第２の電極５４が隣り合うように繰り返し設置し、右手の指掌用の接触部５を準備した。準備した接触部５を図１０に示す態様でリム部４に貼り付けた。本実施例の接触部５において、外周長Ｌに対する対向部の長さの合計Ｋの配置割合は７３％であった。
【００９７】
［実施例５］
実施例１の接触部５の第１の電極５１（５３）を互いに接続する導通部５５を図４のように設けた。導通部５５の線幅を３ｍｍとした。第２の電極５２（５４）についても同様の導通部５５を同様に設けた。これ以外は実施例１と同様のハンドル１を得た。本実施例の接触部５において、外周長Ｌに対する対向部の長さの合計Ｋの配置割合は７１％であった。
【００９８】
［実施例６］
ＰＥＤＯＴ／ＰＳＳ粉末（アグフア製Ｏｒｇａｃｏｎ  Ｄｒｙ）をＰＥＤＯＴ／ＰＳＳ濃度が３ｗｔ％となるようにエチレングリコール（和光純薬製特級）に分散させ混合溶液を得た。
【００９９】
本実施例では、表皮層４３を形成する厚さ１．０ｍｍの牛革の主面に接触部５を形成した。このため、実施例３と同様の態様の第１の電極５３及び第２の電極５４を形成するように、コーティング装置（Ｍａｔｈｉｓ製ＬＴＥ−Ｓ）を用い、第１の電極５３及び第２の電極５４の配置パターンに合わせて導電性高分子材料を含む混合溶液を牛革の主面に１０μｍの厚さとなるように塗布した。
【０１００】
心材４１の表面にポリウレタンの発泡体層４２を設け、その表面に先述の接触部５が形成された表皮層４３を貼りつけた。ハンドル１のスポーク部３から信号線を引き出して設置した。続いて、表皮を縫い合わせた。最後に、スポーク３領域で生じた余分な皮革を切除し、表皮層４３を加熱して皮革のシワを取り除いて実施例６のハンドル１を得た。
【０１０１】
［実施例７］
厚さ１．０ｍｍの牛革に１箇所ごとφ１ｍｍの孔を空け、表皮層４３を準備した。この表皮層４３となる牛革の裏面側に、実施例６で用いた導電性高分子材料を含む混合溶液を用いて実施例３と同様のパターンを塗布した。このとき、混合溶液が孔を通して裏面側まで行き届かせ、牛革の裏面側にも混合溶液が塗布された表皮層４３を得た。混合溶液の塗布厚さは１０μｍであった。
【０１０２】
［実施例８］
電極５１〜５４の幅が９．５ｃｍ、長さが０．０５ｃｍ、ピッチＰａ，Ｐｂが０．１ｃｍとなるように混合溶液を塗布して接触部５を表皮層４３に形成した以外は実施例６と同様にしてハンドル１を得た。
【０１０３】
［比較例１］
ステンレス板から構成されたサイズ３．５×４ｃｍの電極４枚を備えた接触部を有する体脂肪率計（オムロン社ＨＢＦ−３０６）を用意した。接触部は、片手につき２枚ずつ設置されている。片手の指掌で２枚の接触部を把持できる標準位置を握って体脂肪率を計測した。計測された体脂肪率の値は２２．８％であった。上半分の接触部のみを握って体脂肪率を計測したところ、体脂肪率は２９．８％であった。下半分の接触部のみを握って体脂肪率を計測したところ「測定不可」であった。
【０１０４】
上記実施例１〜８及び比較例９の測定結果を表１に示す。
【表１】
2012217642.tif 000008
【０１０５】
上記実施例の測定結果のとおり、本実施例に係るハンドル１は、測定部位が接触部５に触れた際の接触抵抗のバラツキなどの接触条件の相違による影響を小さくすることができる。特にハンドル１の接触部５を部分的に握った場合であっても、測定結果の差が標準時の測定結果に対して０．４３％〜０．４７％程度であり、体脂肪率（生体信号）に係る計測結果のバラツキが小さかった。このように、本実施例に係るハンドル１は、比較例１のような従来の体脂肪計のハンドルと比べて、高い精度で生体情報に応じた生体信号を取得することができる。
【０１０６】
他方、比較例１の測定結果に示されるように、従来の体脂肪率計に設けられた接触部を部分的に握る又は接触位置をずらす（偏らせる）と、測定結果の差が標準時の測定結果に対して３０％であった。また、場所によっては測定不可となった。
【０１０７】
本実施例のハンドル１によれば、測定部位が接触する接触部の電極５１〜５４の面積が不均一であっても、正常に測定が可能であり、しかも、高い精度を維持することができる。
【０１０８】
本明細書では、本発明に係るハンドル１が車両用のハンドルである場合を説明したが、これに限定されず、各種機器の操作用のハンドルに本発明に係るハンドル１を適用することができる。例えば、自転車用ハンドル、エクササイズ用器具のハンドル、体組成計の把持部等に本発明に係るハンドル１を適用することができる。
【符号の説明】
【０１０９】
１００…生体情報計測装置
１…ハンドル
２…ボス部
３…スポーク部
４…リム部
４１…心材
４２…発泡体層
４３…表皮層
５…接触部
５１，５３…第１の電極，電極Ａ
５２，５４…第２の電極，電極Ｂ
５５…導通部
６…計測装置
７…演算装置
８…出力装置，ディスプレイ，通信装置
【図１】
2012217642.tif 000009
【図２】
2012217642.tif 000010
【図３】
2012217642.tif 000011
【図４】
2012217642.tif 000012
【図５Ａ】
2012217642.tif 000013
【図５Ｂ】
2012217642.tif 000014
【図５Ｃ】
2012217642.tif 000015
【図６Ａ】
2012217642.tif 000016
【図６Ｂ】
2012217642.tif 000017
【図７Ａ】
2012217642.tif 000018
【図７Ｂ】
2012217642.tif 000019
【図８Ａ】
2012217642.tif 000020
【図８Ｂ】
2012217642.tif 000021
【図８Ｃ】
2012217642.tif 000022
【図９】
2012217642.tif 000023
【図１０】
2012217642.tif 000024